(57)【要約】【課題】２つ以上のＳＩＭカード・リーダ（１３、１４）を備えている通信デバイス（１）を開示する。【解決手段】通信デバイスは、発信呼を設定するために用いるＳＩＭカード・リーダを自動的に選択するアルゴリズムを備えている。任意に、通信デバイス（１）は、電話リストを備えることができ、このリストでは、電話番号毎に、発信呼を設定するのに適したＳＩＭカード・リーダ（１３、１４）を指定する。アルゴリズムは、ＳＩＭカード・リーダを選択するために、異なる種類のパラメータを利用することができる。【選択図】      図４
2008539621.tif 000002
【特許請求の範囲】
【請求項１】
ユーザ・インターフェース（１２）と、制御部（１１）と、メモリ手段（１８）と、ＳＩＭカードにアクセスする第１アクセス手段と、ＳＩＭカードにアクセスする第２アクセス手段と、第１電話番号に割り当てられている第１ＳＩＭカード（２０）と、第２電話番号に割り当てられている第２ＳＩＭカード（２１）とを備えており、前記制御部（１１）が、発信呼を設定するために用いるＳＩＭカード（２０、２１）を自動的に選択するアルゴリズムを備えている、通信デバイス（１）。
【請求項２】
請求項１記載の通信デバイス（１）において、前記第１アクセス手段および第２アクセス手段を１つのアクセス手段に統合した、通信デバイス。
【請求項３】
請求項１または２記載の通信デバイス（１）において、前記第１アクセス手段は第１ＳＩＭカード・リーダ（１３）であり、前記第２アクセス手段は第２ＳＩＭカード・リーダ（１４）である、通信デバイス。
【請求項４】
請求項３記載の通信デバイス（１）において、前記メモリ手段（１８）は、エントリを備えている電話リストを備えており、前記エントリは、電話番号を収容可能な電話番号フィールドと、適したＳＩＭカード・リーダ（１３、１４）に対する参照を収容可能なＳＩＭカード・リーダ適性フィールドとを備えており、前記アルゴリズムが、発信呼を設定するために、前記参照を使用可能である、通信デバイス。
【請求項５】
請求項１、２、３または４記載の通信デバイス（１）において、該通信デバイス（１）は移動体通信デバイスである、通信デバイス。
【請求項６】
請求項３または５記載の通信デバイス（１）によって呼を設定する方法であって、
前記ユーザ・インターフェース（１２）を通じて、発信呼を設定する電話番号を入力するステップと、
前記アルゴリズムによって、パラメータに応じて前記発信呼を設定するために、前記第１ＳＩＭカード・リーダ（１３）または前記第２ＳＩＭカード・リーダ（１４）を選択するステップと、
を備えている、方法。
【請求項７】
請求項６記載の通信デバイス（１）によって呼を設定する方法において、前記パラメータは、前記電話番号を入力する時点である、方法。
【請求項８】
請求項６記載の通信デバイス（１）によって呼を設定する方法において、前記パラメータは、前記メモリ手段（１８）によって備えられている、方法。
【請求項９】
請求項６記載の通信デバイス（１）によって呼を設定する方法において、前記パラメータは、前記入力した電話番号である、方法。
【請求項１０】
請求項６記載の通信デバイス（１）によって呼を設定する方法において、前記パラメータは、料金情報に関する、方法。
【請求項１１】
請求項６記載の通信デバイス（１）によって呼を設定する方法において、前記パラメータは、前記通信デバイス（１）の地理的位置である、方法。
【請求項１２】
請求項４または５記載の通信デバイス（１）によって呼を設定する方法であって、
前記ユーザ・インターフェース（１２）を通じて、前記電話リストから、発信呼を設定する前記電話番号を選択するステップと、
前記選択した電話番号に対応する前記エントリの前記ＳＩＭカード・リーダ適性フィールドから、ＳＩＭカード・リーダ（１３、１４）に対する前記参照を読み取るステップと、
前記制御部（１１）を通じて、前記参照にしたがって、前記発信呼を設定するための前記ＳＩＭカード・リーダ（１３、１４）を選択するステップと、
を備えている、方法。
【請求項１３】
請求項３から１２までに記載の通信デバイス（１）によって呼を設定する方法において、前記選択したＳＩＭカード・リーダ（１３、１４）がＳＩＭカードを内蔵していない場合、別のＳＩＭカード・リーダ（１３、１４）によって前記発信呼を設定する、方法。
【請求項１４】
請求項３から１３までに記載の通信デバイス（１）によって呼を設定する方法において、ＳＩＭカード・リーダ（１３、１４）に内蔵されている前記ＳＩＭカード（２０、２１）に割り当てられている前記電話番号は、前記ユーザ・インターフェースを通じて提示可能である、方法。
【請求項１５】
請求項３または４記載の通信デバイス（１）によって呼を設定する方法において、ＳＩＭカード・リーダ（１３、１４）に対する前記参照が前記ＳＩＭカード・リーダ適性フィールドに定義されていない場合、前記ユーザ・インターフェース（１２）を通じて前記電話リストから選択した電話番号に前記発信呼を設定するために、前記アルゴリズムを通じて、パラメータに応じて、前記第１ＳＩＭカード・リーダ（１３）または前記第２ＳＩＭカード・リーダ（１４）を選択する、方法。
【請求項１６】
請求項１５記載の通信デバイス（１）によって呼を設定する方法において、前記パラメータは、前記電話番号を選択した時点である、方法。
【請求項１７】
請求項１５記載の通信デバイス（１）によって呼を設定する方法において、前記パラメータは、前記メモリ手段（１８）によって備えられている、方法。
【請求項１８】
請求項１５記載の通信デバイス（１）によって呼を設定する方法において、前記パラメータは、前記選択した電話番号である、方法。
【請求項１９】
請求項１５記載の通信デバイス（１）によって呼を設定する方法において、前記パラメータは、料金情報に関する、方法。
【請求項２０】
請求項１５記載の通信デバイス（１）によって呼を設定する方法において、前記パラメータは、前記通信デバイス（１）の地理的位置である、方法。
【発明の詳細な説明】
【技術分野】
【０００１】
本発明は、発信呼を設定するために１組のＳＩＭカード・リーダから自動的に１つを選択する通信デバイスおよび方法に関するものである。
【背景技術】
【０００２】
移動体電話機のような通信デバイスに関して、１つよりも多いＳＩＭ（加入者識別モジュール）を備えることができるのは周知である。これは、例えば、米国特許第５，９８７，３２５号（特許文献１）に記載されている。この従来技術によれば、移動体電話機に２枚のＳＩＭカードが含まれているので、この移動体電話機には２つの電話番号を割り当てることができる。この従来技術から、ネットワークにおいて２枚のＳＩＭカードを備えている移動体電話機をどのように登録するか、そして着信呼をどのように処理するかも周知である。しかしながら、この従来技術は、発信呼を設定するためにどのようにＳＩＭカードを選択するかについては開示していない。１台の移動体電話機が１枚よりも多いＳＩＭカードを備えていることの結果、ＳＩＭカードを１枚のみ備えている場合には通常必要でない数個の特定的手順が必要となる（例えば、登録プロセスに関して）。また、発信呼を設定するプロセスに関しても、１台の移動体電話機が１枚よりも多いＳＩＭカードを備えている場合、特定的措置を講じなければならないことが想像できる。この従来技術の欠点は、多重ＳＩＭカード通信デバイスに合った選択プロセスに関して、何の措置も開示されていないことである。
【特許文献１】米国特許第５，９８７，３２５号
【発明の開示】
【発明が解決しようとする課題】
【０００３】
本発明の目的は、従来技術の欠点を解消し、１台の通信デバイスが１枚よりも多いＳＩＭカードを備えている場合に、発信呼に合わせて自動的にＳＩＭカード・リーダを選択する通信デバイスおよび方法を提供することである。
【課題を解決するための手段】
【０００４】
本発明によれば、通信デバイスおよび方法を開示する。
通信デバイスは、ユーザ・インターフェースと、制御部と、メモリ手段と、第１ＳＩＭカードを内蔵可能な第１加入者識別モジュール（ＳＩＭ）と、第２ＳＩＭカードを内蔵可能な第２ＳＩＭカード・リーダとを備えており、第１ＳＩＭカード・リーダには第１電話番号を割り当て、第２ＳＩＭカードには第２電話番号を割り当て、制御部が、発信呼を設定するために用いるＳＩＭカードを自動的に選択するアルゴリズムを備えている。
【０００５】
本発明の第１の態様では、１つよりも多いＳＩＭ（加入者識別モジュール）カード・リーダを備えている通信デバイスが、発信呼を設定すべきＳＩＭカード・リーダを自動的に選択する手段を備えていることを開示する。通信デバイスは、移動体電話機、パーソナル・ディジタル・アシスタントのような移動体デバイス、または１枚以上のＳＩＭカードを備えているのであればその他のいずれの移動体デバイスでもよい。また、通信デバイスは、固定ネットワークに接続可能な、有線電話機またはエンド・ユーザデバイスのような、固定デバイスでもよい。通信デバイスは、いずれの形式の移動体または固定通信プロトコルにしたがって通信することもできる。また、通信デバイスが移動体および固定通信プロトコル双方をサポートする場合も考えられる。固定通信プロトコルの例には、ＩＳＤＮ、ＡＤＳＬ、ＩＰ、およびＶＤＳＬがある。移動体通信プロトコルの例には、ＧＰＲＳ、ＧＳＭ、ＵＭＴＳ、およびＢｌｕｅｔｏｏｔｈがある。１つよりも多いＳＩＭカード・リーダを備える代わりに、通信デバイスは、１枚よりも多いＳＩＭカードを内蔵するように装備されている１つのＳＩＭカード・リーダを備えてもよい。例えば、ＳＩＭカード・リーダ内部に数個の区画があれば、各区画にＳＩＭカードを内蔵することができる。
【０００６】
本発明による通信デバイスは、発信呼を設定するために、適したＳＩＭカード・リーダを選択するアルゴリズムを備えている。このアルゴリズムは、メモリ手段に備えることができ、メモリ手段は通信デバイスの一部とすることができる。このアルゴリズムによって、１つ以上のパラメータに基づいて、通信デバイスが備えるＳＩＭカード・リーダを自動的に選択することが可能となる。このように、例えば、一方のＳＩＭカード・リーダを通じて業務関連の発信呼を設定し、個人的な発信呼は、別のＳＩＭカード・リーダを通じて設定することが可能となる。また、通信デバイスが２つよりも多いＳＩＭカード・リーダを備えている実施形態も、本発明には含まれる。先に述べたように、通信デバイスが、１枚よりも多いＳＩＭカードを内蔵するように構成されている１つのＳＩＭカード・リーダを備えることも可能である。言い換えると、１つ以上のＳＩＭカード・リーダを１つの統合ＳＩＭカード・リーダに統合することができる。統合ＳＩＭカード・リーダは、異なるＳＩＭカードを内蔵することもできる。例えば、統合ＳＩＭカード・リーダは、各々、ＳＩＭカードを内蔵することができる数個の区画を備えてもよい。このような場合、本発明は、発信呼を設定するためのＳＩＭカード・リーダを選択する代わりに、区画の選択を適用する。本発明によれば、ＳＩＭカード・リーダを選択する代わりに、発信呼を設定するためにＳＩＭカードを選択することも可能である。例えば、ＳＩＭカードが通信デバイスのどこに位置するかがわかれば、そのＳＩＭカードを選択して、発信呼を設定することができる。
【０００７】
アルゴリズムがＳＩＭカード・リーダを選択するために用いる入力パラメータは、通信デバイスのユーザ・インターフェースを通じて入力するパラメータ、通信デバイスのメモリ手段内にある情報、通信デバイスの実際の地理的位置、発信呼を設定する宛先の電話番号、あるいはダイアルする電話番号をユーザが入力した時点のように、いずれの形式でも可能であり、なおもこれらに限定されるのではない。加えてまたは代わりに、アルゴリズムは、電話番号のフォーマット（例えば、桁数）のような、他の情報を用いることもできる。アルゴリズムが１つよりも多いパラメータを組み合わせて、適したＳＩＭカード・リーダを選択することもできる。また、１つ以上のサービスまたはネットワーク運営会社に関する特性を、アルゴリズムが用いることも可能である。例えば、料金情報をアルゴリズムが用いてＳＩＭカード・リーダを選択し、発信呼を処理するのに最も経済的な運営会社を選択することもできる。
【０００８】
本発明の別の態様では、通信デバイスのメモリ手段が電話リストを備えている。しかしながら、通信デバイスがメモリ手段を備えずに、代わりに、通信デバイスと接続可能な（有線または無線）別のデバイスがメモリ手段を備えることも可能な場合もある。電話リストは、１つ以上の電話番号を収容することができ、関与する電話番号に対して発信呼を設定するときに用いるべき、適したＳＩＭカード・リーダに、各電話番号を割り当てることができる。
【０００９】
本発明によれば、どのＳＩＭカードがどのＳＩＭカード・リーダに挿入されているか、通信デバイスのユーザ・インターフェースを通じて提示することも可能な場合がある。その利点は、どのＳＩＭカードが実際にどのＳＩＭカード・リーダに内蔵されているか、ユーザがチェックできることである。また、適したＳＩＭカード・リーダがＳＩＭカードを内蔵していない場合、ＳＩＭカードを内蔵しているＳＩＭカード・リーダを通じて、発信呼を設定することも可能である。
【００１０】
本発明によれば、発信呼を設定するために、適したＳＩＭカード・リーダを選択する方法も開示する。選択は、通信デバイスが備えているアルゴリズムによって行うことができ、選択プロセスにおいて、アルゴリズムが１つ以上のパラメータを用いることができる。パラメータの種類およびパラメータをアルゴリズムに提供する方法には制限がない。例えば、通信デバイスのユーザ・インターフェースを通じてパラメータを入力することができるが、アンテナまたは通信デバイスが備えているその他の受信手段を通じて、通信手段がパラメータを受信することも可能である。
【００１１】
本発明の以上の態様および付随する利点の多くは、以下の詳細な説明を添付図面を合わせて参照することにより、一層深く理解できよう。
【発明を実施するための最良の形態】
【００１２】
本発明を教示する目的のために、本発明の方法およびデバイスの好適な実施形態について続いて説明する。尚、本発明のその他の代替および同等の実施形態も、本発明の真の主旨から逸脱することになく、想起し実用化に至ることが可能であることは、当業者には明白であろう。本発明の範囲は、最終的に付与される際の、添付した特許請求の範囲によってのみ限定されるものとする。
【００１３】
図１は、１つよりも多いＳＩＭ（加入者識別モジュール）カード・リーダを備えている通信デバイス（１）を示す。この実施形態では、通信デバイス（１）は移動体通信デバイスである。通信デバイス（１）は、例えば、移動体電話機またはパーソナル・ディジタル・アシスタントとすればよい。信号は、通信デバイス（１）と、基地局のような送受信機（２）との間で送信することができる。通信デバイス（１）と送受信機（２）との間の信号は、いずれの種類の通信プロトコルにしたがってでも送信することができる。このような通信プロトコルの例には、ＧＰＲＳ、ＧＳＭ、およびＵＭＴＳがあげられる。一般に、送受信機（２）は、通信ネットワーク（３）に接続されているか、またはその一部である。通信ネットワーク（３）を通じて、通信デバイス（１）を有するユーザは、別の通信デバイスを通じて通信ネットワーク（３）に直接または間接的に接続されている別のユーザと通信することができる。図２において、通信デバイス（１）が備えている多数の構成要素が示されており、これらは、通信デバイス（１）を用いる際にその役割を果たすことができる。ユーザ・インターフェース（１２）が通信デバイス（１）には設けられており、このユーザ・インターフェース（１２）は、ディスプレイ、スピーカ、およびキーボードを備えている。通信デバイス（１）は、第１ＳＩＭカード・リーダ（１３）と、第２ＳＩＭカード・リーダ（１４）とを備えている。第１ＳＩＭカード・リーダ（１３）は、第１ＳＩＭカード（２０）を内蔵するために用いることができ、第２ＳＩＭカード・リーダ（１４）は、第２ＳＩＭカード（２１）を内蔵するために用いることができる。一般に、ＳＩＭカード（２０、２１）の各々には１つ以上の識別番号が付随する。例えば、電話番号は、ＳＩＭカード（２０、２１）に割り当てた識別番号と見なすことができる。加えて、ＰＩＮコードも、ＳＩＭカード（２０、２１）に割り当てた識別番号と見なすことができる。また、更に別の種類の識別番号もＳＩＭカード（２０、２１）の各々に割り当てることも可能な場合もある。通信デバイス（１）が１枚よりも多いＳＩＭカードを備えることができるので、通信デバイス（１）は異なる電話番号によって着信呼を受信することができる。例えば、ユーザは、通信デバイス（１）によって、業務に関する呼を第１電話番号に設定し受信することができ、個人的な呼を第２電話番号に設定し受信することができる。その結果、各呼の分類を異なるＳＩＭカード（２０、２１）を通じて処理することが可能となる。実際には、これは、ＳＩＭカード・リーダ（１３、１４）はＳＩＭカード（２０、２１）を内蔵しているので、個々の分類の呼は、特定のＳＩＭカード・リーダ（１３、１４）を通じて処理されることを意味する。
【００１４】
また、請求情報や、ＳＩＭカード（２０、２１）が割り当てられている通信ネットワークを指定する情報というように、各ＳＩＭカード（２０、２１）がユーザ特定情報またはその他の情報を備えている場合もある。前記第１電話番号による発信呼に対する請求は、これに関して、第１ＳＩＭカード（２０）を通じて行うことができ、一方第２電話番号による発信呼に対する請求は、第２ＳＩＭカード（２１）を通じて行うことができる。ＳＩＭカード（２０、２１）に関する制限はない。第１ＳＩＭカード（２０）および第２ＳＩＭカード（２１）双方とも、加入型またはプレイペイド型でもよい。通信デバイス（１）は２つのＳＩＭカード・リーダ（１３、１４）を備えることができるが、２つのカード・リーダ（１３、１４）の一方のみがＳＩＭカード（２０、２１）を内蔵している間に通信デバイス（１）を用いることも可能な場合がある。この状況では、ＳＩＭカード（２０、２１）を内蔵するＳＩＭカード・リーダ（１３、１４）を通じてでないと、呼を設定し受信することはできない。更に、通信デバイス（１）が２つよりも多いＳＩＭカード・リーダを備えることも可能な場合もある。
【００１５】
アンテナ（１７）を通じて、信号を受信および送信することができる。受信機（１５）は、アンテナ（１７）を通じて信号を受信し、この信号を変調して情報信号とし、その後、この情報信号を制御部（１１）に出力することができる。制御部（１１）は、情報信号を、ユーザ・インターフェース（１２）を通じてユーザに提示するのに適したフォーマットに変換することができる。発信呼に関しては、ユーザ・インターフェース（１２）からの音声および／またはデータ信号を、制御部（１１）によって処理し、処理した信号を送信機（１６）に出力する。送信機は、受信信号を、アンテナ（１７）を通じて送ることができる信号に変換することができる。制御部（１１）は、マイクロプロセッサと、ＲＯＭ、ＲＡＭおよび／またはＥＥＰＲＯＭのようなメモリ手段（１８）とを備えることができる。本発明によれば、制御部（１１）は、どちらのＳＩＭカード・リーダ（１３、１４）を通じて、発信呼を設定すればよいか判定するためのアルゴリズムを備えることができる。ＳＩＭカード・リーダ（１３、１４）を選択するアルゴリズムは、例えば、ユーザ・インターフェース（１２）を通じて入力される入力パラメータ、既にメモリ手段（１８）内にある情報、通信デバイス（１）の実際の地理的位置、またはダイアルする電話番号が入力された時点に基づくとよい。適したＳＩＭを判定するアルゴリズムは、追加的にまたは代替的に、電話番号のフォーマット（例えば、桁数）のような、別の情報を用いることもできる。例えば、ダイアルする電話番号が５桁から成る場合、第１ＳＩＭカード・リーダ（１３）が適したＳＩＭカード・リーダとなる。例えば、電話番号が１０桁から成る場合、第２ＳＩＭカード・リーダ（１４）が適したＳＩＭカード・リーダとなる。
【００１６】
また、メモリ手段（１８）が電話リストを備えている場合もあり得る。電話リストは、１つ以上の電話番号を収容することにより、各電話番号に、該当する電話番号に対して発信呼を設定するときに用いなければならない、適したＳＩＭカード・リーダ（１３、１４）を割り当てることができる。例えば、電話番号毎に、電話リスト内にエントリを有することができ、このエントリは、電話番号フィールドと、ＳＩＭカード・リーダ適性フィールドとを備えている。これの利点は、電話番号を選択するときに、ユーザが選択を行う必要なく、発信呼を設定するときに、特定のＳＩＭカード・リーダ（１３、１４）を自動的に選択できることである。別の実施形態では、ユーザは、電話リストから電話番号を選択する代わりに、ユーザ・インターフェース（１２）を通じて電話番号を入力することができ、これによって、入力した電話番号に割り当てられている、適したＳＩＭカード・リーダを、メモリ手段（１８）が備えている情報にしたがって決定する。この情報は、電話リストの一部であってもなくてもよい。
【００１７】
一般に、ＳＩＭカード（２０、２１）上にも電話リストがある場合もある。その場合、ＳＩＭカード（２０、２１）が備えている電話リストから選択した電話番号に対して発信呼をどのように設定するか定義しなければならない。発信呼は、該当するＳＩＭカードを通じて設定することができ、あるいは通信デバイス（１）において、ＳＩＭカード・リーダ（１３、１４）を通じて、選択した電話番号を制御部（１１）に向けて出力し、最終的に別のＳＩＭカード・リーダ（１３、１４）を発信呼を設定するために選択できるようにする処置を講ずることもできる。
【００１８】
本発明によれば、例えばユーザの要求に応じて、ユーザ・インターフェース（１２）を通じて、どのＳＩＭカード（２０、２１）がどちらのＳＩＭカード・リーダ（１３、１４）に挿入されているか、ユーザに示すことができる。これは、ユーザが、正しいＳＩＭカード（２０、２１）が実際にＳＩＭカード・リーダ（１３、１４）に内蔵されているか否かチェックしたいときに、有用となることができる。
【００１９】
発信呼を設定しなければならない時点で、適したＳＩＭカード・リーダがＳＩＭカード（２０、２１）を内蔵していない場合、適したＳＩＭカード・リーダ（１３、１４）は発信呼を処理することができない。このような場合、代わりの状況があり得る。例えば、制御部（１１）およびユーザ・インターフェース（１２）を通じて、適したＳＩＭカード・リーダ（１３、１４）がＳＩＭカード（２０、２１）を内蔵していないことをユーザに通知する。別の選択肢では、発信呼の設定を、ＳＩＭカード（２０、２１）を内蔵しているＳＩＭカード・リーダ（１３、１４）を通じて行う。また、発信呼を更にどのように処理するかに関する指示をユーザに要求することも可能な場合もある（例えば、別のＳＩＭカード・リーダ（１３、１４）を通じて発信呼を設定する）。
【００２０】
図３は、本発明による可能な実施形態を示すフローチャートである。ステップｓ０１において、通信デバイス（１）のスイッチを入れる。ステップｓ０２において、ユーザは、どのＳＩＭカード（２０、２１）が実際にＳＩＭカード・リーダ（１３、１４）に内蔵されているかチェックしたいか否か決定することができる。ユーザがこれをチェックすることを望む場合、ＳＩＭカード／ＳＩＭカード・リーダの組み合わせに関する情報を、ステップｓ０３において、ユーザ・インターフェース（１２）を通じて表示することができる。この情報は、とりわけ、内蔵されているＳＩＭカード（２０、２１）に割り当てられている電話番号を備えることができる。また、ステップｓ０２を任意選択肢とし、挿入されているＳＩＭカードに関する情報を常時示すまたは示さないようにすることもできる。ユーザは、ステップｓ０４において、ＳＩＭカード・リーダの選択プロセスにおいてアルゴリズムが用いることができるＳＩＭカード・リーダの適性(preference)またはパラメータを設定したいか否か選択することができる。ＳＩＭカード・リーダの適性が電話リストに応じて決定される場合、ステップｓ０５およびｓ０６において、ある電話番号に指定されているＳＩＭカード・リーダ適性フィールドを設定することができる。ＳＩＭカードの適性がアルゴリズムによって決定される場合、１つ以上のパラメータをステップｓ０７において調節することができる。ステップｓ０８において、ユーザは、設定プロセスを繰り返したいか否か選択することができる。
【００２１】
図４において、発信呼の設定に関係するステップを示す。ステップｓ１０において、ユーザは、ユーザ・インターフェース（１２）を通じて電話番号を入力することによって、呼を設定したいか否か、または制御部（１１）が備えている電話リストを通じて電話番号を選択するか否かを決定する。電話リストを通じて電話番号を選択する場合、これをステップｓ１１において行う。ステップｓ１３において、ＳＩＭカード・リーダ適性フィールドにおいて、適したＳＩＭカード・リーダ（１３、１４）が定義されているか否か判定を行う。定義されていない場合、ステップｓ１５において、アルゴリズムにしたがってＳＩＭカード・リーダ（１３、１４）を選択する。また、ステップｓ１２を経由した場合もステップ１５を実行する。即ち、ユーザ・インターフェース（１）を通じて電話番号を入力する。ステップｓ１４およびｓ１５の後、ステップｓ１４またはｓ１５において得られたＳＩＭカード・リーダ（１３、１４）がＳＩＭカード（２０、２１）を内蔵しているか否かチェックする。内蔵している場合、ステップｓ１７において適したまたは選択したＳＩＭカード・リーダ（１３、１４）を通じて発信呼を設定する。ＳＩＭカード・リーダ（１３、１４）がＳＩＭカード（２０、２１）を内蔵していない場合、ＳＩＭカード・リーダ（１３、１４）を、ステップｓ１８において、アルゴリズムにしたがって選択する。ステップｓ１９において、選択したＳＩＭカード・リーダ（１３、１４）をユーザ・インターフェース（１２）を通じてユーザに示し、その後、ユーザは、ステップｓ２０において、選択したＳＩＭカード・リーダ（１３、１４）を通じて発信呼を設定することができるか（ステップｓ２１）否か（ステップｓ２２）を決定することができる。
【００２２】
図３および図４に示す種々のステップは任意であってよい。例えば、ステップｓ１９およびｓ２０は、実施形態によっては、実装しなくてもよい。これによって生ずる可能性のある結末は、ステップｓ１８においてＳＩＭカード・リーダ（１３、１４）を選択した後、ステップｓ２１を自動的に実行することである。
【００２３】
ステップ１５および１８において言及したアルゴリズムは、多数のパラメータを用いてもよく、更に種々の規則を備え、多くの異なる種類の状況に適用するようにしてもよい。例えば、電話リストから選択した電話番号が、その電話番号から発信された着信呼をＳＩＭカード・リーダ（１３、１４）を通じて受信した後に、自動的に電話リストに以前に格納されていた電話番号であるという場合が考えられる。この場合、以前に着信呼を受信したＳＩＭカード・リーダ（１３、１４）を選択して、発信呼を設定するという規則にすることができる。電話番号をＳＩＭカードから電話リストに格納した場合、電話番号をインポートしたＳＩＭカード（２０、２１）を内蔵しているＳＩＭカード・リーダ（１３、１４）を選択するという規則にすることができる。
【図面の簡単な説明】
【００２４】
【図１】図１は、２つのＳＩＭカード・リーダを備えている通信デバイス（１）を示すブロック図である。
【図２】図２は、本発明による通信デバイス（１）が備えている多数の構成要素を示すブロック図である。
【図３】図３は、ＳＩＭカード・リーダの適性または選択を設定するプロセスを示すフロー図である。
【図４】図４は、発信呼の設定に関してＳＩＭカードを自動的に選択するプロセスを示すフロー図である。
【図１】
2008539621.tif 000003
【図２】
2008539621.tif 000004
【図３】
2008539621.tif 000005
【図４】
2008539621.tif 000006
【国際調査報告】
2008539621.tif 000007
2008539621.tif 000008
2008539621.tif 000009